(57)【要約】【課題】浴槽表面を親水表面部と撥水表面部から構成し、浴槽内の水はけ性を改善し、すべり防止を付与すること。【解決手段】浴槽１０の略水平面に親水塗料の親水塗膜２３と、略垂直面に撥水塗料の撥水塗膜２６を形成し、親水塗膜２３に樹脂ビーズ２４と酸化アルミ粒子２５を混入することで、浴槽内の全面の水はけ性を向上するとともに特に浴槽の水平面をすべり難くし安全に入浴ができるものである。【選択図】図２
2006068279.tif 000002
【特許請求の範囲】
【請求項１】
浴槽表面の少なくとも一部に撥水表面部と親水表面部を備えた浴槽。
【請求項２】
少なくとも略水平面を親水表面部とした請求項１に記載の浴槽。
【請求項３】
撥水表面部もしくは親水表面部の少なくとも一方を浴槽基材で形成し、他方を塗装処理で形成した請求項１または２に記載の浴槽。
【請求項４】
親水表面部を親水塗装処理で形成し、塗料に粒子状物質を混入した請求項１〜３のいずれか１項に記載の浴槽。
【請求項５】
粒子状物質を異なる粒子径範囲からなる少なくとも２種類の粒子状物質から構成した請求項４に記載の浴槽。
【発明の詳細な説明】
【技術分野】
【０００１】
本発明は滑り防止と水はけ性を改善した浴槽に関するものである。
【背景技術】
【０００２】
従来、この種の浴槽は、浴槽底面に滑り防止部材を設けて滑り止めを構成したものであった（例えば、特開文献１参照）。
【０００３】
図８（ａ）は特開文献１に記載された従来の浴槽の断面を示すものであり、（ｂ）は（ａ）のＡ部の詳細断面を示すものである。図に示すように、浴槽１の底面２に凹部３を設け、凹部３に別体の滑り防止部材４を着脱可能に嵌合してある。滑り防止部材４は陶磁製タイルの裏にラバーなどのクッションシートを貼着してあり、凹部３にはめ込んだ状態で浴槽１の底面より突出し、使用者があしをのせても突起により、滑りを防止する構成である。
【特許文献１】特開平７−２４１２５０号公報
【発明の開示】
【発明が解決しようとする課題】
【０００４】
しかしながら、前記従来の構成は浴槽底面に凹部を設け、着脱可能の滑り防止部材を嵌合している構成なので、滑り防止部材の突起以外では、滑り止め効果がなく、数多くの滑り防止部材を設置する必要があった。また、使用者の足の裏全体が滑り防止部材の上におかれる可能性は低く、滑り防止としては不十分であった。さらに、着脱可能としているため形状が複雑になり、使用者の清掃性が低下するとともに、水はけ性については改善されるものではなかった。
【０００５】
本発明は、前記従来の課題を解決するもので、浴槽表面を親水部と撥水部から構成し、浴槽内の水はけ性を改善し、すべり防止を付与することを目的とする。
【課題を解決するための手段】
【０００６】
前記従来の課題を解決するために、本発明の浴槽は、浴槽表面の少なくとも一部に撥水表面部と親水表面部を備えたものである。
【０００７】
これによって、水が流れやすい表面は撥水表面部とし、水がより流れやすくするとともに、水が流れにくい表面および使用者が手や足で体重を支える表面を親水表面部とし、水はけ性を改善しつつ、使用者が浴槽使用時にすべりにくく安全な入浴ができるものである。
【発明の効果】
【０００８】
本発明の浴槽は、水が流れやすい表面は撥水表面部とし、水がより流れやすくするとともに、水が流れにくい表面および使用者が手や足で体重を支える表面を親水表面部とし、水はけ性を改善しつつ、使用者が浴槽使用時にすべりにくく安全な入浴ができるものである。
【発明を実施するための最良の形態】
【０００９】
第１の発明は浴槽表面の少なくとも一部を撥水表面部と親水表面部を備えた浴槽とすることにより、水が流れやすい表面は撥水表面部とし、水がより流れやすくするとともに、水が流れにくい表面および使用者が手や足で体重を支える表面を親水表面部とし、水はけ性を改善しつつ、使用者が浴槽使用時にすべりにくく安全な入浴ができるものである。
【００１０】
第２の発明は、特に、第１の発明の浴槽の少なくとも略水平面を親水表面部とすることにより、特に水が流れ難く滞留しやすく、しかも使用者が手や足で体重を支える水平面を親水表面部とすることで、水が滞留することを抑制し、使用者が浴槽使用時にすべり難く安全な入浴ができるものである。
【００１１】
第３の発明は、特に、第１または第２の発明の浴槽の撥水表面部もしくは親水表面部の少なくとも一方を浴槽基材で形成し、他方を塗装処理で形成することにより、一方の特性を有する材料で浴槽を成型し、他方の特性の部分は後加工で容易に任意の場所を撥水もしくは親水化が可能となり、安価に水はけ性を改善しつつ、使用者が浴槽使用時にすべりにくく安全に入浴可能な浴槽を提供することができる。
【００１２】
第４の発明は、特に、第１〜３のいずれか１つの発明の浴槽の親水表面部を親水塗装処理で形成し、塗料に粒子状物質を混入することにより、親水表面部である親水塗装面に粒子状物質の大きさの凹凸ができ、摩擦抵抗がより大きくなり、使用者が浴槽使用時によりすべりにくく安全に入浴可能な浴槽を提供することができる。
【００１３】
第５の発明は、特に、第４の発明の粒子状物質を異なる粒子径範囲からなる少なくとも２種類の粒子状物質を混入することにより、親水表面部である親水塗装面に粒子状物質の２種類の粒子状物質による大きさによるのバランスのよい凹凸ができ、摩擦抵抗がより大きくなり、使用者が浴槽使用時によりすべりにくく安全に入浴可能な浴槽を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における浴槽を用いた浴室の部分斜視図を示すものである。
【００１６】
図１において、浴槽１０は、浴室１１の洗い場１２から浴槽１０の上沿面１３までが所定の高さになるように設置される。浴槽１０の上沿面１３の高さは洗い場１２から３５０〜５００ｍｍ程度が好ましいが、最適な範囲は４００〜４５０ｍｍであり、システムバスではほぼこの範囲に設計されている。浴槽１０への入浴補助として、壁１４に握りバー１５や、浴槽１０の長手側面１６にハンドグリップ１７が取り付けられている。
【００１７】
浴槽１０の短手断面図を図２に示す。浴槽１０は強化プラスチック（以下、ＦＲＰと略す）を主として構成されており、上沿面１３および底面１８は略水平面であり、０〜１０°の勾配を有しており、水がたまらないように設計されている。また、肘かけ面１９は肘が滑らないように同様に略水平面であり、水がたまらないように０〜１０°の勾配を有している。
【００１８】
浴槽１０の長手断面図を図３に示す。図３において、ステップ面２０は半身浴時に使用者が腰掛けたり、浴槽への出入りの際に足場として利用し、脚や着座時に滑らないように同様に略水平面で構成され、水がたまらないように０〜１０°の勾配を有している。
【００１９】
浴槽１０の略垂直面は、長手側面１６、短手側面２１、外縁面２２などであり、略水平面とは曲面で自然に接合している。
【００２０】
略水平面である上沿面１３、底面１８、肘かけ面１９、ステップ面２０の表面には、それぞれ親水塗料が塗布され、親水塗膜２３で親水表面部を形成している。
【００２１】
親水塗膜２３の部分断面図を図４に示す。親水塗料は、ウレタン系の主材と硬化剤からなる２液混合タイプの塗料基材２３ａに、添加剤として粒子状物質である粒径が５００μｍ以下の樹脂ビーズ２４と、粒子状物質である粒子径が０．１〜５００ｎｍの酸化アルミ（Ａｌ２Ｏ３）粒子２５が混入されている。
【００２２】
樹脂ビーズ２４と酸化アルミ粒子２５は塗料基材２３ａに対して１〜５０重量％の割合で混合されている。樹脂ビーズ２４は粒径が５００μｍ以下であり、膜厚が１〜２００μｍの親水塗膜２３において、親水塗膜２３の表面に適度の凹凸を形成しており、使用者の滑り止めとして機能するとともに、粒子状物質である樹脂ビーズ２４と酸化アルミ粒子２５は塗料基材２３ａより硬度が高く、親水塗膜２３の表面を硬いものでこすられた場合でも親水塗膜２３全体が磨耗しないように塗膜保護の役割も兼ねている。
【００２３】
酸化アルミ粒子２５は、粒子径が０．１〜５００ｎｍの大きさであるため、塗料中に分散されており、樹脂ビーズ２４の表面を含め、樹脂ビーズ２４が形成する凹凸とは異なる大きさの凹凸を形成し、更に摩擦抵抗を大きくすることができるので、入浴時に使用者が頻繁に荷重をかける上沿面１３、底面１８、肘かけ面１９、ステップ面２０の表面をすべりにくく安全性を向上できるともに、酸化アルミ粒子２５の親水性能による親水性向上が図れ、水が流れにくい低勾配でも水溜りがなく水はけ性能も向上し、水による摩擦係数低減を回避でき、安全性が向上するとともに乾燥性能も向上する。ここでの親水性は水の接触角で４０°以下が望ましく、３０°以下であればより効果は大きいが、浴槽形状などによりその最適範囲は変わってくる。
【００２４】
また、酸化アルミ粒子２５は、樹脂ビーズ２４や親水塗膜２３を構成する塗料基材２３ａの樹脂よりも硬度が高く、親水塗膜２３内に十分に分散されているため、耐磨耗性を向上するという効果も有している。
【００２５】
略垂直面である、長手側面１６、短手側面２１、外縁面２２などは浴槽基材の表面に撥水塗装による撥水塗膜２６で撥水表面部を形成している、撥水塗料はフッ素塗料を使用している。したがって、撥水塗膜２６が形成されている略垂直面では表面張力が低下し、ほとんど水滴が残らずスケールなどの汚れがつきにくく、仮についたとしても、簡単な水拭き程度で汚れを落とすことができる。特に汚れがつきやすい喫水線がくる長手側面１６、短手側面２１はその効果が顕著に現れる。ここでの撥水性は水の接触角で６０°以上が望ましく、８０°以上であればより効果は大きいが、浴槽形状などによりその最適範囲は変わってくる。
【００２６】
なお、本実施の形態では、塗料をウレタン系塗料としているが、アクリル系やエポキシ系の２液混合タイプ塗料でもかまわないし、塗料の密着性能さえ問題なければ、１液性の塗料を用いても同様の効果が得られる。
【００２７】
また、粒子状物質として樹脂ビーズを用いているが、ガラスビーズや球形状ではない物質でも塗膜の厚みとの関係さえ満たしていれば、同様の効果が得られる。
【００２８】
また、２種類の粒子状物質の大きさは本実施の形態の組み合わせでは最適であるが、粒子材質などによりそれぞれ最適範囲が異なる。
【００２９】
さらに、酸化アルミ粒子以外の粒子でもｎｍオーダーの粒子径の同様に親水化性を有する酸化ケイ素などを組み合わせれば、凹凸形状の最適化により同様の効果を得ることができるし、ｎｍオーダーの粒子径の無機物の粒子状物質を混入することで、耐磨耗性を向上するという同様の効果を得ることができる。
【００３０】
（実施の形態２）
本発明の第２の実施の形態の浴槽２７の短手断面図を図５に、長手断面図を図６に示す。本実施の形態において、第１の実施の形態と相違する点のみを説明する。
【００３１】
浴槽２７の浴槽基材２８はＦＲＰであり、樹脂内に撥水添加剤を混入し、樹脂の特性を撥水性としている。フッ素塗料などによる表面塗装に比べると表面張力の低下レベルは若干劣るが、一般のＦＲＰと比較すると表面張力が低下したものである。同レベルの表面張力の材料であれば、撥水添加剤を混入する必要はなく、例えば、浴槽２７の浴槽基材２８の表面部を好適な表面張力のアクリルシート等を真空成型したもので構成しても構わない。
【００３２】
親水表面部は親水塗料による親水塗膜２９で形成してあり、その範囲は、図５、図６に示す浴槽２７の略水平面部であり、塗装範囲以外は、浴槽２７の浴槽基材２８が表面に出て撥水面部を形成している。
【００３３】
図７は、親水塗膜２９の部分拡大断面図であり、第１の実施の形態と相違する点は、塗料基材２９ａに混入する粒子状物質を実施の形態１の樹脂ビーズから中空部３０ａを有するガラスビーズ３０に変更した点である。本構成により樹脂ビーズ２４よりもその硬度が上昇するため、さらに耐磨耗性が向上するとともに、内部に中空部３０ａを有するので空気層を有し熱容量が大きく断熱性も有しているので、入浴時にいったん暖められた空気により浴槽の親水塗膜２９の表面温度が維持されやすく、乾燥時間を短縮できる。
【００３４】
その他は、第１の実施の形態と同様の構成であり、同じ効果を有する。
【００３５】
また、本実施の形態において、親水塗料には粒子状物質を異なる大きさの範囲で２種類添加しているが、同等の範囲でも滑り防止の相乗効果は少ないが、同様の効果を得ることができる。また、いずれか一方の粒子状物質でも親水性が確保されれば、相乗効果は得られないが、滑りにくく、水はけ性がよいとともに、耐磨耗性を向上した塗膜を形成できる。
【産業上の利用可能性】
【００３６】
以上のように、本発明にかかる浴槽は、水が流れやすい表面は撥水表面部とし、水がより流れやすくするとともに、水が流れにくい表面および使用者が手や足で体重を支える表面を親水表面部とし、水はけ性を改善しつつ、使用者が浴槽使用時にすべりにくく安全な入浴ができるものであり、キッチン、洗面所等の同様の形状を有する水周り設備の用途にも適用できる。
【図面の簡単な説明】
【００３７】
【図１】本発明の実施の形態１におけるシステムバスの斜視図
【図２】本発明の実施の形態１における浴槽の短手断面図
【図３】本発明の実施の形態１における浴槽の長手断面図
【図４】本発明の実施の形態１における浴槽の塗膜部分断面図
【図５】本発明の実施の形態２における浴槽の短手断面図
【図６】本発明の実施の形態２における浴槽の長手断面図
【図７】本発明の実施の形態２における浴槽の塗膜部分断面図
【図８】（ａ）従来の浴槽の長手断面図（ｂ）Ａ部詳細断面図
【符号の説明】
【００３８】
１０、２７  浴槽
２８  浴槽基材（撥水表面部）
２３、２９  親水塗膜（親水表面部）
２４  樹脂ビーズ（粒子状物質）
２５  酸化アルミ粒子（粒子状物質）
２６  撥水塗膜（撥水表面部）
３０  ガラスビーズ（粒子状物質）
【図１】
2006068279.tif 000003
【図２】
2006068279.tif 000004
【図３】
2006068279.tif 000005
【図４】
2006068279.tif 000006
【図５】
2006068279.tif 000007
【図６】
2006068279.tif 000008
【図７】
2006068279.tif 000009
【図８】
2006068279.tif 000010